(57)【要約】【課題】  飲料容器から溢出した飲料が容器受台装置の側方から流出しない飲料ディスペンサの容器受台装置を提供する。【解決手段】  容器受台装置２０の傾動基板２１には、中間部に上段受台用ブラケット４１を介し上段受台４０と、下部に下段受台用ブラケット５１を介し下段受台５０を位置調節可能に固定する。傾動基板２０の前面には、両側部を前方に湾曲させて形成したカバー６０を設け、傾動基板２０の下端部にはカバー６０の前面を流下する飲料を受け止めて勢いを止める受承部材６１を設ける。【選択図】    図２
2005272008.tif 000002
【特許請求の範囲】
【請求項１】
装置本体の前面に回動可能に軸架して同装置本体に組み付けた傾動装置によってその下端部が前方に押し上げられたとき所定の角度にて上方に傾斜し同傾動装置の非作動時に同装置本体の前面に沿って垂下する傾動基板と、
該傾動基板に固定されて飲料容器が載置される受台を備えてなり、
前記傾動基板の下端部に前記飲料容器から流下する飲料を受け止める受承部材を設けたことを特徴とする飲料ディスペンサの容器受台装置。
【請求項２】
前記傾動基板の前面には両側部を前方に湾曲させて形成したカバーを固定したことを特徴とする請求項１に記載の飲料ディスペンサの容器受台装置。
【請求項３】
前記受承部材は、前記傾動基板の下部前側に沿って下方に延び下端を後方に折り曲げた断面Ｌ字形をしたことを特徴とする請求項１に記載の飲料ディスペンサの容器受台装置。
【請求項４】
前記受承部材は、前記カバーの下部前側に沿って下方に延び下端を後方に折り曲げた断面Ｌ字形をしたことを特徴とする請求項２に記載の飲料ディスペンサの容器受台装置。
【請求項５】
前記傾動基板の下端部には、前記受承部材との間に前記受承部材により受け止められた飲料が通る隙間が形成されたことを特徴とする請求項１〜請求項４の何れか１項に記載の飲料ディスペンサの容器受台装置。
【請求項６】
装置本体の前面に回動可能に軸架して同装置本体に組み付けた傾動装置によってその下端部が前方に押し上げられたとき所定の角度にて上方に傾斜し同傾動装置の非作動時に同装置本体の前面に沿って垂下する傾動基板と、
該傾動基板に固定されて飲料容器が載置される受台と、
前記傾動基板の前面には両側部を前方に湾曲させて形成したカバーと、
前記傾動基板の下端部に前記飲料容器から流下する飲料を受け止める受承部材を備えてなり、
前記傾動基板及び前記カバーの下端部には、前記受承部材との間に前記受承部材により受け止められた飲料が通る隙間が形成されたことを特徴とする飲料ディスペンサの容器受台装置。
【発明の詳細な説明】
【技術分野】
【０００１】
本発明は、ビール等の飲料容器を傾動可能に載置して支持する容器受台装置を備えた飲料ディスペンサ、特に前記容器受台装置の改良に関するものである。
【背景技術】
【０００２】
従来、下記の特許文献１においては、ビール等の飲料容器が載置される受台を当該飲料容器の高さに応じてその取付基板に位置決め固定して同受台の下端部を上方へ傾動可能に支持した飲料ディスペンサの容器受台装置が開示されている。
【特許文献１】特開２００３−２６１１９９号公報。
【発明の開示】
【発明が解決しようとする課題】
【０００３】
上記の飲料ディスペンサの容器受台装置においては、受台の取付基板前面が平らであるため、受台に載置した飲料容器が後方に傾けられたときに飲料が溢れると、溢れた飲料が取付基板の前面にて左右に広がって流下し、下方に設けたドレンパンで受けきれないことがある。また、飲料容器から溢れ出た飲料が取付基板の下端部から流下しても勢いよく流れ落ちたときには、ドレンパンを超えてしまうことがある。
【課題を解決するための手段】
【０００４】
本発明は上記課題を解決するため、装置本体の前面に回動可能に軸架して同装置本体に組み付けた傾動装置によってその下端部が前方に押し上げられたとき所定の角度にて上方に傾斜し同傾動装置の非作動時に同装置本体の前面に沿って垂下する傾動基板と、該傾動基板に固定されて飲料容器が載置される受台を備えてなり、前記傾動基板の下端部に前記飲料容器から流下する飲料を受け止める受承部材を設けたことを特徴とする飲料ディスペンサの容器受台装置を提供するものである。
【０００５】
上記のように構成した飲料ディスペンサの容器受台装置においては、容器受台装置の受台に飲料容器を載置して下端部を前方に押し上げて傾斜させたときに飲料容器から飲料が溢出して容器受台装置の下端部に勢いよく流下したときでも、溢出した飲料を受承部材により勢いを止めて下方に流下させることができる。
【０００６】
また、上記のように構成した飲料ディスペンサの容器受台装置においては、前記受承部材は、前記傾動基板の下部前側に沿って下方に延び下端を後方に折り曲げた断面Ｌ字形をするようにしたほうが好ましく、このようにしたときには、飲料容器から溢出した飲料は、受承部材の前側部分により前方に飲料が流れることがなくなる。また、飲料容器から溢出した飲料は、後方に折り曲げた部分に沿って流れてから下方に流下させることができる。
【０００７】
また、上記のように構成した飲料ディスペンサの容器受台装置においては、傾動基板の前面に両側部を前方に湾曲させて形成したカバーを固定するようにした方が好ましく、このようにすれば容器受台装置の受台に飲料容器を載置して下端部を前方に押し上げて傾斜させたときに飲料容器から飲料が溢出しても、溢出した飲料は前方に湾曲させたカバーの両側部により側方に広がって流下することなく下方に向けて流すことができ、さらに流れてきた飲料を受承部材により勢いを止めて下方に流下させることができる。
【０００８】
さらに、上記のように構成した飲料ディスペンサの容器受台装置においては、前記受承部材は、前記カバーの下部前側に沿って下方に延び下端を後方に折り曲げた断面Ｌ字形をするようにしたほうが好ましく、このようにしたときには、飲料容器から溢出した飲料は、受承部材の前側部分により前方に飲料が流れることがなくなる。また、飲料容器から溢出した飲料は、後方に折り曲げた部分に沿って流れてから下方に流下させることができる。
【０００９】
また、上記のように構成した飲料ディスペンサの容器受台装置においては、前記傾動基板の下端部には、前記受承部材との間に前記受承部材により受け止められた飲料が通る隙間が形成されるようにしたほうが好ましく、このようにすれば、受承部材により勢いが止められた飲料は、隙間を通って下方に流下させることができる。
【００１０】
また、本発明は他の実施形態においては、装置本体の前面に回動可能に軸架して同装置本体に組み付けた傾動装置によってその下端部が前方に押し上げられたとき所定の角度にて上方に傾斜し同傾動装置の非作動時に同装置本体の前面に沿って垂下する傾動基板と、該傾動基板に固定されて飲料容器が載置される受台と、前記傾動基板の前面には両側部を前方に湾曲させて形成したカバーと、前記傾動基板の下端部に前記飲料容器から流下する飲料を受け止める受承部材を備えてなり、前記傾動基板及び前記カバーの下端部には、前記受承部材との間に前記受承部材により受け止められた飲料が通る隙間が形成されたことを特徴とする飲料ディスペンサの容器受台装置を提供するものである。
【００１１】
上記のように構成した飲料ディスペンサの容器受台装置においては、容器受台装置の受台に飲料容器を載置して下端部を前方に押し上げて傾斜させたときに飲料容器から飲料が溢出してカバーの前面を勢いよく流下したときでも、溢出した飲料を受承部材により勢いを止めて前方に飲料を流すことなく、前記傾動基板及び前記カバーの下端部に設けた隙間を通して下方に流下させることができる。
【発明を実施するための最良の形態】
【００１２】
以下、本発明をビールディスペンサに適用した実施形態を図１〜図６を参考にして説明する。このビールディスペンサの装置本体１０の前面には、図示しないビール樽から送出され装置本体１０に設けた水槽にて冷却されたビールとその泡を注出する注出コック１１と、その上方に位置して同注出コック１１の操作レバーを傾動させる駆動装置１２と、注出コック１１の下方に位置してジョッキを載置する容器受台装置２０と、容器受台装置２０の背面で該容器受台装置２０を傾動させる傾動装置１３と、容器受台装置２０の下方に位置してジョッキから溢出するビールとその泡を受けるドレンパン１４を備えている。        
【００１３】
容器受台装置２０は、図２〜５に示すように、傾動装置１３によってその背面を押動されてその下端部が前方に押し上げられたとき所定の角度にて上方に傾斜し傾動装置１３の非作動時に装置本体１０の前面に沿って垂下する傾動基板２１を備えている。
【００１４】
この傾動基板２１は、図２〜図５に示すように、略長方形状に形成されていて、その上端部にはジョッキの上縁を支持する上縁支持部材３０を設け、その中間部には小型のジョッキを載置する上段受台４０を設け、その下部には大型のジョッキを載置する下段受台５０を設けてある。しかして、同傾動基板２１の前面にはその前面を覆うカバー６０が設けられている。
【００１５】
傾動基板２１は、図２〜図４に示すように、上端部両側を前方に折り曲げて形成した支持部２１ａには左右一対のピン２１ｂが同軸的に溶接されている。傾動基板２１は、これら一対のピン２１ｂを装置本体１０に設けた容器受台装置用ブラケット１５に水平軸線回りに回動自在に軸支することにより、その下端部が前側に向けて所定角度にて傾くまで傾動されるようになっている。また、傾動基板２１には、上段受台４０と下段受台５０をジョッキの高さに合わせた位置で固定するために、左右一対の複数の上下方向の長孔２１ｃが形成されているとともに、これら長孔２１ｃの内側に左右一対の位置決め用長孔２１ｄが形成されている。位置決め用長孔２１ｄは、長孔２１ｃと同じ長さの長孔で内側に位置決めのための複数の凹凸部が形成されている。傾動基板２１の下端部には、切り欠き２１ｆ（隙間）が設けられており、この切り欠き２１ｆは、後述するカバー６０を流れ受承部材６１により勢いを止められた飲料を後方へ流す機能を有している。
【００１６】
上縁支持部材３０は、図２〜図４に示すように、上縁支持部材用ブラケット３１を介して傾動基板２１の上端部に取り付けられている。上縁支持部材用ブラケット３１は、横長の板金部材で、２箇所にねじ穴が形成された中央部がねじ３１ａにより傾動基板２１の上部前側に固定され、両側部３１ｂは前向きに折曲されて、その上側前部には１対の内向き折曲部３１ｃが形成されている。
【００１７】
上縁支持部材３０は、中空のブロック状でジョッキの上縁を支持するために略円弧状に凹んで形成された前面には、ジョッキの上縁より高い位置にジョッキから溢れたビールが上縁支持部材３０の上側を通って装置本体１０側に流れるのを防ぐための張り出し３０ａが形成され、その下側には張り出し３０ａによりせき止められたビールが上縁支持部材３０の側方に回るのを防いで下方へ誘導するための複数の誘導溝３０ｂが形成されている。
【００１８】
上縁支持部材３０の上下方向中間部には、上縁支持部材用ブラケット３１を取り付けるための両側面から背面に抜ける一対の横長スリット３０ｃが形成されている。上縁支持部材３０は、スリット３０ｃに上縁支持部材用ブラケット３１の折曲部３１ｃが嵌め込まれてその下側から挿入されたねじ３１ｄが折曲部３１ｃにねじ止めされることにより、上縁支持部材用ブラケット３１を介して傾動基板２１に取り付けられている。
【００１９】
上段受台４０は、図２、図３及び図５に示すように、傾動基板２１の中間部前面に上段受台用ブラケット４１を介して上下方向に位置調節可能に取り付けられている。
【００２０】
上段受台用ブラケット４１は、図３及び図５に示すように、傾動基板２１の中間部前面で平面形状がコ字状に折曲された腕部４１ａを有する板金部材であり、中央部が打ち出し成形された左右一対のボス４１ｂを位置決め用長孔２１ｄの凹凸部の何れか一箇所に係合して位置決めされ、ボス４１ｂの外側に形成した左右一対のねじ穴に長孔２１ｃの背面から挿入したねじ４１ｃにより締め付け固定されている。
【００２１】
上段受台４０は、図２及び５に示すように、ジョッキを載置する載置部４０ａと、載置部４０ａの両側で上方に折り曲げられた折曲部４０ｂとからなり、折曲部４０ｂの後端は上段受台用ブラケット４１の腕部４１ａにシャフト４４を介してねじ４１ｄにより水平軸線回りに回動自在に取り付けられている。上段受台４０の使用時には、図３の実線に示すように、上段受台４０は、上段受台用ブラケット４１の腕部４１ａの先端部下側に形成された係止部４１ｅ上に当接されて傾動基板２１からほぼ直角に突出するように係止され、下段受台５０を使用するときには、図３の二点鎖線に示すように、上段受台４０の先端部が傾動基板２１側に退避されるように傾倒する。上段受台４０の載置部４０ａの後部中央には、注出コック１１から滴下するビールとその泡を下方のドレンパン１４に逃がすための切り欠き４０ｃが形成されている。
【００２２】
上段受台４０の後半部には、図５に示すように、ジョッキの底部を傾動時に支持する底部支持部材４２が設けられている。底部支持部材４２は、樹脂製の弓形部材で、両側部上側には位置決めのための凹凸部４２ａが前後方向に沿って形成され、中央部下端には上段受台４０の切り欠き４０ｃに係合し上方への動きを規制し前後へ案内する誘導部４２ｂが形成されている。
【００２３】
上段受台４０の両側部には、図５に示すように、底部支持部材４２を前後に位置調節可能に位置決めするための左右一対のケース４３が設けられている。ケース４３は、細長い樹脂部材よりなり、互いに向き合う内側面には、図３の一部破断断面図に示すように、底部支持部材４２を位置決めするための凹凸部４３ａが前後方向に沿って形成されており、底部支持部材４２の凹凸部４２ａにケース４３の凹凸部４３ａを歯合させて底部支持部材４２の前後方向の位置決めをしている。ケース４３の裏面には、図２及び図５に示すように、縦長の凹部４３ｂが形成されており、図示右側の凹部４３ｂには、装置本体１０に設けられたリードスイッチ（図示略）を作動させるための細長い磁石４５が収容されている。
【００２４】
ケース４３は、図２に示すように、上段受台４０の折曲部４０ｂに長手状凹凸部４３ａと凹部４３ｂとの間に形成された溝部４３ｃを嵌合し、前側は内側先端下部に形成された耳部４３ｄを上段受台４０の載置部４０ａの下方に掛合して、後側は外側面後方からねじ４３ｅにより取り付けられている。上段受台４０に底径の異なるジョッキを載置するときには、ケース４３のねじ４３ｅを外し、耳部４３ｄ付近を支点に後側を上方へ回動させてからケース４３を取り外し、底部支持部材４２をジョッキの底径に合わせた位置に移動させる。ケース４３を再び取り付けるときには、ケース４３の耳部４３ｄを上段受台４０の載置部４０ａの下方に掛合させてから、折曲部４０ｂに溝部４３ｃを嵌合させるとともに底部支持部材４２の凹凸部４２ａに長手状凹凸部４３ａを歯合させて、ケース４３側面後方をねじ４３ｅにより上段受台４０に固定する。
【００２５】
また、ケース４３に収容された磁石４５は、図５に示すように、傾動基板２１及びカバー６０の幅よりも広い位置で設けられているので、図３の二点鎖線に示すような退避位置に回動したときに、装置本体１０に設けたリードスイッチ（不図示）に近い位置で作動させることができる。さらに、磁石４６は細長い形状をしているので、上段受台４０を上下方向に位置調整をしてもリードスイッチを作動させる位置に磁石４５の一部が常に配置されている。なお、ケース４３の裏面の設けた凹部４３ｂには、上段受台４０を退避位置に回動したときに凹部４３ｂを隠すための蓋が設けられている。
【００２６】
上述した上段受台４０に異なる高さのジョッキを使用するときには、傾動基板２１に設けた一つの長孔２１ｃの長さの範囲での位置調整であれば、傾動基板２１の背面から取り付けたねじ４１ｃを弛め、上段受台４０を前方にずらしてボス４１ｂと位置決め用長孔２１ｄの凹凸部の係合を外し、ジョッキの高さに合わせた凹凸部の何れか一箇所に再度係合させてねじ４２ｃにて締め付け固定をする。また、一つの長孔２１ｃの長さの範囲より大きな変更するときには、ねじ４１ｃを外して上述と同様に上段受台４０の位置調整を行う。
【００２７】
下段受台５０は、図２及び図３に示すように、上段受台４０の下方で傾動基板２１の下部前面に下段受台用ブラケット５１を介して上下方向に位置調節可能に取り付けられている。
【００２８】
下段受台用ブラケット５１は、図２及び図３に示すように、平面形状がコ字状に折曲された板金部材であり、中央部に打ち出し成形された左右一対のボス５１ｂを位置決め用長孔２１ｄの凹凸部の何れか一箇所に係合して位置決めし、ボス５１ｂの外側に形成した左右一対のねじ穴に長孔２１ｃの背面からねじ５１ｃにより締め付け固定されている。下段受台用ブラケット５１の中央部の両端から前側に折曲られた腕部５１ａは、下段受台５０を取り付けるために外側に折り曲げられている。
【００２９】
下段受台５０は、図２に示すように、ジョッキを載置しビールとその泡を下方のドレンパン１４に流すための切り欠き５０ｃが形成された載置部５０ａと、載置部５０ａの両側で上方に折り曲げられた折曲部５０ｂとからなり、載置部５０ａの裏面を下段受台用ブラケット５１の腕部５１ａにより下方から支持されねじにより固定されている。
【００３０】
下段受台５０の後半部には、図２に示すように、ジョッキの底部を傾動時に支持する底部支持部材５２が設けられており、上段受台４０に設けられた底部支持部材４２と同様であるので詳細な説明は省略する。
【００３１】
下段受台５０の両側部には、図２に示すように、底部支持部材５２を前後に位置調節可能に位置決めするための左右一対のケース５３が設けられている。ケース５３は、上段受台４０に設けられた図示右側のケース４３と異なり溝部５３ｂに磁石が収容されていないことが異なるだけであるので詳細な説明は省略する。
【００３２】
ケース５３は、上段受台４０に設けられたケース４３と同様の方法で取付及び底部支持部材５２を位置決めしているので詳細な説明は省略する。
【００３３】
なお、下段受台５０は、上段受台４０と同様の方法で上下方向の位置調整をしているので詳細な説明は省略する。
【００３４】
カバー６０は、図２〜図５に示すように、傾動基板２１の前側で両側部を前方に湾曲させてその両端は後方に向けて折り曲げられた板金部材で、背面の上端部中央に設けられたフック６０ａを上縁支持部材用ブラケット３１の中央部に係止して着脱可能に固定されている。カバーは６０は、傾動基板２１の前側を覆うことで上縁支持部材用ブラケット３１、上段受台用ブラケット４１及び下段受台用ブラケット５１の取付部分と、各ブラケット４１、５１の取り付けられない傾動基板２１の長孔２１ｃと位置決め長孔用２１ｄを覆い容器受台装置２０の外観を損なわないようにしている。また、カバー６０は、ビールが付着して汚れたときには、フック６０ａを上方に引張り出すことで、傾動基板２１から取り外せるようになっている。カバー６０の下端部には、切り欠き６０ｂ（隙間）が設けられており、この切り欠き６０ｂは、カバー６０を流れ後述する受承部材６１により勢いを止められた飲料を傾動基板２１の切り欠き２１ｆとともに後方へ流す機能を有している。
【００３５】
傾動基板２１の下端部には、カバー６０の前面を流れ落ちるビールの勢いを止め、下方にあるドレンパン１４に的確に流下さるための受承部材６１が設けられている。受承部材６１は、前側部６１ａがカバー６０の下部前側に沿って下方に延び下端を後方に折り曲げた折曲部６１ｂを有した断面Ｌ字形をしている。折曲部６１ｂの長さは、図４及び図５に示すように、幅方向中央部を長く両側に向けて次第に狭くなる山形の形状をしている。また、受承部材６１は、カバー６０を傾動基板の前面で固定したときに、カバー６０の下端部を前後方向に動かないように固定する機能も有している。
【００３６】
上記のように構成した容器受台装置２０の作動について説明する。小型のジョッキにビールとその泡を注出するときは、上段受台４０を水平位置に倒し、上段受台４０の載置部４０ａにジョッキを載置する。このとき、装置本体１０に設けたリードスイッチは非検知状態になり、装置本体１０が、上段受台４０に小型のジョッキが載置されていることを判断する。この状態で図示しない注出ボタンを操作すると、容器受台装置２０の背面に設けられた傾動装置１３が作動して、容器受台装置２０とともに上段受台４０に載置されている小型のジョッキを傾動する。小型のジョッキが傾動すると、駆動装置１２により注出コック１１の操作レバーが傾動され、小型のジョッキに設定量のビールが注出される。設定量のビールが注出されると、駆動装置１２により注出コック１１の操作レバーが中立位置に戻されてビールの注出が終了するとともに傾動装置１３により、容器受台装置２０が元の位置に戻される。容器受台装置２０が元の位置で停止すると、駆動装置１２により注出コック１１の操作レバーが傾動され、小型のジョッキに設定量のビールの泡が注出される。
【００３７】
また、大型のジョッキにビールとその泡を注出する場合は、図３の二点鎖線に示すように、上段受台４０の先端部を傾動基板２１側に退避させるように傾倒して下段受台５０を使用する。このとき、装置本体１０は、右側のケース４３に収容された磁石４５によりリードスイッチが検知状態となることにより、下段受台５０に大型のジョッキが載置されていることを判断し、大型のジョッキに対応した量のビールとその泡が上記と同様に注出される。
【００３８】
以上のように構成したビールディスペンサの容器受台装置２０は、上縁支持部材３０、上段受台４０及び下段受台５０を取り付ける傾動基板２１の前面をカバー６０により覆うようにしたので、上縁支持部材用ブラケット３１、上段受台用ブラケット４１及び下段受台用ブラケット５１の取付部分と各ブラケット４１、５１が取り付けられない長孔２１ｃ及び位置決め用長孔２１ｄが正面に露呈して外観を損ねることがなくなる。さらに、ジョッキから飲料が溢れ出ても各ブラケット３１、４１、５１の取付部分や各長孔２１ｃ、２１ｄに飲料が付着せず着脱可能なカバー６０に飲料が付着するだけなので、飲料を容易にふき取ることができる。
【００３９】
また、カバー６０は、両側部を前方に湾曲させているので、各受台４０、５０に載置したジョッキが傾けられた時に飲料が溢れても、カバー６０の左右に飲料が広がって流下することなくカバー６０の下端部に流れ、容器受台装置１０の下方にあるドレンパン１４に落下させることができる。また、傾動基板２１の下端部に受承部材６１が設けられているので、カバー６０から流れ落ちる飲料の勢いを止めてからその下方にあるドレンパン１４に的確に落下させることができる。したがって、ドレンパン１４の奥行き方向の長さを無用に長くすることなく溢れた飲料を受けることができる。
【００４０】
また、受承部材６１は断面Ｌ字形としているので、カバー６０の前面を流れ落ちる飲料は、受承部材６１の前側部６１ａにより前方へ流れ出ることがなくなって後方に流れ落ちる。また、カバー６０と傾動基板２１の下端部には各々切り欠き６０ｂと切り欠き２１ｆが形成されているので、受承部材６１により勢いが止められた飲料は、切り欠き６０ｂと切り欠き２１ｆを通って折曲部６１ｂの先端側から下方のドレンパン１４に流下する。このとき、折曲部６１ｂの長さは、幅方向中央部が長く両側に向けて次第に狭くなるような山型形状となっているので、折曲部６１ｂから流れ落ちる飲料は、折曲部６１ｂの幅方向中央部に向かって流れてから下方のドレンパン１４に流れる。よって、折曲部６１ｂから流下する飲料は、左右に広がって流下することがなくなり、下方のドレンパン１４で受け止められる。
【００４１】
上述した実施形態では、受承部材６１は、断面Ｌ字形をしているが、本発明はこれに限られるものではなく、例えば受承部材６１の前側部６１ａがないときでも、カバー６０を流れ落ちる飲料の勢いを止めることができる。
【００４２】
上述した実施形態では、傾動基板２１は、中間部から下部にかけて、左右に対をなす長孔２１ｃと、その内側で長孔と同じ長さで内側に凹凸を有した左右の複数の位置決め用長孔２１ｄが形成されているが、図６に示すように、傾動基板２１の中間部から下部へかけて側端面に凹凸部２１ｅを設け、上段受台用ブラケット４１及び下段受台用ブラケット５１の各ボス４１ｂ、５１ｂを凹凸部２１ｅの何れか１箇所に係合して位置決めしてもよい。
【００４３】
上述した実施形態では、カバー６０は、両側部を湾曲させた板金部材であるが、本発明はこれに限られるものではなく、断面コ字状の板金部材のように側部から飲料が溢れないような形状としてもよい。
【００４４】
また、上述した実施形態では、特許請求の範囲に記載の受台は上段受台４０と、下段受台５０の上下２段の受台に対応するものであるが、本発明はこれに限られるものではなく、１段若しくは３段以上の受台を備える容器受台装置２０であってもよい。
【００４５】
また、上述した実施形態では、ビールディスペンサに限られるものではなく、他の飲料を注出する飲料ディスペンサに用いてもよい。
【００４６】
次に、上記実施形態の変形実施例を図７及び図８を用いて説明する。本変形実施例は、図７及び図８に示すように、受承部材の形状が異なるので、この点について説明する。
【００４７】
傾動基板２１の下端部には、カバー６０の前面を流れ落ちる飲料の勢いを止め、下方にあるドレンパン１４に的確に流下さるための受承部材６１Ａが設けられている。受承部材６１Ａは、前側部６１Ａａがカバー６０の下部前側に沿って下方に延び下端を後方に折り曲げた折曲部６１Ａｂを有した断面Ｌ字形をしている。前側部６１Ａａの上部は、前方へ斜め上方に折り曲げられたガイド部６１Ａａ３が形成されており、ガイド部６１Ａａ３はカバー６０の前面を流れ落ちる飲料が受承部材６１Ａとカバー６０との間に形成される隙間Ｓに流れやすくするガイドの機能を有している。また、受承部材６１Ａの両側部には、上端から下側に向けて切り込み６１Ａａ１が形成されて両端部に突出部６１Ａａ２が形成されている。カバー６０は、傾動基板２１に取り付けられているときには、カバー６０の下部両端が突出部６１Ａａ２に当接して前後方向に動かないように固定されている。突出部６１Ａａ２は、前後方向へのバネ性を有しているので、カバー６０を上方へ引き出すとき及び再び挿入するときに容易に引き出し及び挿入することができる。また、カバー６０の両側部前面からカバー６０と受承部材６１Ａの突出部６１Ａａ２の当接する部位に飲料が流れてきたときにも、切り込み６１Ａａ１から飲料が流れていくので、カバー６０と受承部材６１Ａの突出部６１Ａａ２との当接する部位に飲料が残ることがなく、飲料がこべりつくことがなくなる。
【００４８】
折曲部６１ｂの長さは、図４及び図５に示すように、幅方向中央部を長く両側に向けて次第に狭くなる山形の形状をしている。また、受承部材６１は、カバー６０を傾動基板の前面で固定したときに、カバー６０の下端部を固定する機能も有している。その他の構造及び効果は前述した実施形態と同様であるので詳細については省略する。
【図面の簡単な説明】
【００４９】
【図１】本発明の一実施形態を示すビールディスペンサの装置本体の側面図である。
【図２】本発明に係る容器受台装置の正面図である。
【図３】本発明に係る容器受台装置の一部破断側面図である。
【図４】本発明に係る容器受台装置の平面図である。
【図５】図２に示す容器受台装置のＡ−Ａ断面図である。
【図６】傾動基板の他の実施形態を示す正面図である。
【図７】本発明の変形実施例に係る容器受台装置の正面図である。
【図８】本発明の変形実施例に係る容器受台装置のＣ−Ｃ断面図である。
【符号の説明】
【００５０】
１０…装置本体、１３…傾動装置、２０…容器受台装置、２１…傾動基板、２１ｆ…隙間（切り欠き）、４０…上段受台、４１…上段受台用ブラケット、５０…下段受台、５１…下段受台用ブラケット、６０…カバー、６０ｂ…隙間（切り欠き）、６１…受承部材、。
【図１】
2005272008.tif 000003
【図２】
2005272008.tif 000004
【図３】
2005272008.tif 000005
【図４】
2005272008.tif 000006
【図５】
2005272008.tif 000007
【図６】
2005272008.tif 000008
【図７】
2005272008.tif 000009
【図８】
2005272008.tif 000010